【事件の表示】
　特許第３１２６３５１号「コネクタならびにそれを用いたＩＣチップ搭載カード」の請求項１、２に係る特許に対する特許異議の申立てについて、次のとおり決定する。
【結　論】
　訂正を認める。
　特許第３１２６３５１号の請求項１ないし２に係る特許を維持する。
【理　由】
〔１〕手続の経緯
　特許第3126351号の請求項１、２に係る発明は、平成平成４年５月21日に出願した特願平4-128858号の一部を平成９年９月29日に新たな特許出願とし、更にその特願平9-263675号の一部を平成11年５月７日に新たな特許出願としたものであって、平成12年11月２日にその特許権の設定登録がされ、取消しの理由が通知され、その指定期間内である平成13年11月５日に訂正請求がされたものである。
　
〔２〕訂正の適否についての判断
(1)訂正の内容
　ア.訂正事項a
　特許請求の範囲の請求項２の記載について、「２枚の導電板とを備えた電子カードにおいて」及び「接触していることを特徴とする電子カード」を「２枚の導電板とを備えたＩＣチップ搭載カードにおいて」及び「接触していることを特徴とするＩＣチップ搭載カード」と訂正する。
　イ.訂正事項b
　発明の名称に係る記載について、「コネクタならびにそれを用いた電子カード」を「コネクタならびにそれを用いたＩＣチップ搭載カード」と訂正する。
　ウ.訂正事項c
　願書に添付された明細書（以下、「特許明細書」という。）について段落【0001】、【0017】、【0020】、【0024】、【0031】の「電子カード」を「ＩＣチップ搭載カード」と訂正する。
　エ.訂正事項d
　特許明細書について段落【0001】の「や通信カード」を削除する。
(2)訂正の目的の適否、新規事項の有無及び拡張・変更の存否
　上記訂正事項aは、「電子カード」をこれに含まれる事項である「ＩＣチップ搭載カード」に変更し、しかも「ＩＣチップ搭載カード」については、特許明細書の図１（ＩＣチップ２を搭載したカードが示されている図）が示されているから、特許請求の範囲の減縮を目的とした明細書の訂正に該当し、上記訂正事項b、cは、上記訂正事項aの訂正にともない明細書の記載を整合するものであるから、明瞭でない記載の釈明を目的とした訂正に該当し、上記訂正事項dは、明瞭でない記載を削除するものであるから、明瞭でない記載の釈明を目的とした訂正に該当し、いずれも、新規事項の追加に該当せず、実質的に特許請求の範囲を拡張又は変更するものではない。
(3)むすび
　したがって、上記訂正は、特許法第120条の４第２項及び同条第３項で準用する同法第126条第２項及び第３項の規定に適合するので、当該訂正を認める。
　
〔３〕特許異議の申立てについての判断
(1)本件の請求項１、２に係る発明
　上記〔２〕で示したように上記訂正が認められるから、本件の請求項１、２に係る発明（以下「本件発明１」、「本件発明２」という。）は、上記訂正に係る訂正明細書の特許請求の範囲の請求項１、２に記載された事項に特定されるとおりのものである。
「【請求項１】コネクタフレームと、そのコネクタフレーム内に所定数配列されたコネクタピンとを備えたコネクタにおいて、前記コネクタピンのうちのグランドピンが複数設けられ、一方のグランドピンに上方向へ突出した突出片が、他方のグランドピンに下方向へ突出した突出片が形成され、それぞれのグランドピンと対応する前記コネクタフレームの部分に切欠部が形成され、それら切欠部を通して一方のグランドピンの突出片が前記コネクタフレームの上面より突出し、他方のグランドピンの突出片が前記コネクタフレームの下面より突出していることを特徴とするコネクタ。
【請求項２】電子部品を搭載したプリント基板と、コネクタフレーム内に所定数のコネクタピンを配列し、前記プリント基板に取り付けられ、前記コネクタピンのうちのグランドピンがプリント基板のグランドパターンに接続されたコネクタと、前記コネクタフレームの上下両面に当接配置された２枚の導電板とを備えたＩＣチップ搭載カードにおいて、前記コネクタピンのうちのグランドピンが複数設けられ、一方のグランドピンに上方向へ突出した突出片が、他方のグランドピンに下方向へ突出した突出片が形成され、それぞれのグランドピンと対応する前記コネクタフレームの部分に切欠部が形成され、前記２枚の導電板がコネクタフレームの上下両面に当接配置された状態で、前記切欠部を通して、一方のグランドピンの突出片が上側導電板と接触し、他方のグランドピンの突出片が下側導電板と接触していることを特徴とするＩＣチップ搭載カード。」
(2)申立ての理由の概要
　特許異議申立人は、原出願は「メモリカード」であったものを、分割後の出願は「電子カード」、「通信カード」とするものであり、「メモリカード」から「電子カード」、「通信カード」とすることは範囲が拡大しているので、分割後の出願は、分割要件を満足しておらず、平成９年９月29日に出願したものとみなされ、本件発明１、２は、原出願の公開公報である特開平5-325535号公報（平成５年12月10日公開）に基づいて当業者が容易に発明をすることができたものであるから、特許法第29条第２項の規定により、特許を受けられないものである、と主張する。（以下、「取消事由１」という。）
　また、特許異議出願人は、本件発明１、２は、甲第２号証（発明協会公開技報89-16036号、以下、「引用例１」という。）及び甲第３号証（実願昭54-80580号（実開昭55-180282号）のマイクロフィルム、以下、「引用例２」という。）に基づいて当業者が容易に発明をすることができたものであるから特許を受けることができないものである、と主張する。（以下、「取消事由２」という。）
(3)取消事由１について
　上記〔２〕に示したように上記訂正が認められるから、分割後の出願は、分割要件を満足していないということはできず、出願日は繰り下がらないので、特開平5-325535号公報は公知文献と認めることができず、取消事由１は、理由がないものと認める。
(4)取消事由２について
　ア.引用例に記載された発明
　引用例１には、メモリカードに関して、第１、２図とともに以下の事項が記載されている。
　1)「本技術は上記の点に鑑みてなされたもので、スプリングの使用を不要としたメモリカードの構造を提供するものである。」（第１頁左欄第12〜14行）
　2)「カード基板６の一方の面上には例えばＲＡＭおよびＲＯＭなどのメモリ素子8a，8bなどが実装されており、その端部に電子機器装置（図示せず）のコネクタ１と複数の外部接続用端子2a，2bが接続端子ランド4c，4d上に、それぞれ半田付により接続されている。」（第１頁左欄第15〜21行）
　3)「外部接続用端子2bはバネ形状で外装の金属板3aに、また電池負電極2cは外装の金属板3bにそれぞれ接続されている。」（第１頁右欄第２〜４行）
　引用例２には、プラグに関して、第１〜５図とともに以下の事項が記載されている。
　4)「第１図のようにケースあるいはシャーシ等に固定されるアース部３とそのアース部３に対して浮かして設けた受部２とからなるソケット１に対して従来のプラグは第２図に示すように受部２に対応する電極４、アース片５、フィーダ６を電極４およびアース片６に電気接続した後、必要部分を被覆する絶縁部７から形成され、アース片６のアース部３に接触する部分は第２図ロで示すように断面逆Ｕ字状になっている。したがって、アース片５とアース部３との結合はアース片５にもたせた弾性効果を利用しての摩擦結合である」（明細書第１頁第11行〜第２頁第２行）
　
　イ.対比・判断
　本件発明１と引用例１に記載された発明とを対比すると、引用例１には「外部接続用端子2bはバネ形状で外装の金属板3aに、また電池負電極2cは外装の金属板3bにそれぞれ接続されている」構造が記載されているが、本件発明１の必須構成である「一方のグランドピンに上方向へ突出した突出片が、他方のグランドピンに下方向へ突出した突出片が形成され、それぞれのグランドピンと対応する前記コネクタフレームの部分に切欠部が形成され、それら切欠部を通して一方のグランドピンの突出片が前記コネクタフレームの上面より突出し、他方のグランドピンの突出片が前記コネクタフレームの下面より突出している」点を有していない。
　引用例２には「アース片５とアース部３との結合はアース片５にもたせた弾性効果を利用しての摩擦結合である」構成が記載されているが、引用例２のプラグは、第２図及び第５図からも分かるとおり、断面が円形のプラグ（コネクタ）であり、引用例１のコネクタが第１図、第２図から推測されるとおり断面扁平状のものと構成上非常に相違し、当業者といえども引用例１に記載されたものに引用例２に記載されたものを適用することは容易にできるとはいえない。
　そして、本件発明１は、「取扱中あるいは製品の組立中などに他の部材がグランドピンの突出部に当接してその突出部が押圧される際、その他の部材が最終的にはコネクタフレームの外表面に当接して、それ以上前記突出部が押圧変形しないように規制されるから、グランドピンの突出部が過度に変形されることがない。」という明細書に記載の効果を奏するものである。
　したがって、本件発明１は、引用例１、２に記載された発明に基づいて当業者が容易に発明をすることができたものとは認められない。
　
　本件発明２と引用例１に記載された発明とを対比すると、引用例１には「外部接続用端子2bはバネ形状で外装の金属板3aに、また電池負電極2cは外装の金属板3bにそれぞれ接続されている」構造が記載されているが、本件発明２の必須構成である「コネクタピンのうちのグランドピンが複数設けられ、一方のグランドピンに上方向へ突出した突出片が、他方のグランドピンに下方向へ突出した突出片が形成され、それぞれのグランドピンと対応するコネクタフレームの部分に切欠部が形成され、２枚の導電板がコネクタフレームの上下両面に当接配置された状態で、前記切欠部を通して、一方のグランドピンの突出片が上側導電板と接触し、他方のグランドピンの突出片が下側導電板と接触している」点を有していない。　
  引用例２には「アース片５とアース部３との結合はアース片５にもたせた弾性効果を利用しての摩擦結合である」構成が記載されているが、引用例２のプラグは、第２図及び第５図からも分かるとおり、断面が円形のプラグ（コネクタ）であり、引用例１のコネクタが第１図、第２図から推測されるとおり断面扁平状のものと構成上非常に相違し、当業者といえども引用例１に記載のものに引用例２に記載されたものを適用することは容易にできるとはいえない。
　そして、本件発明２は、「取扱中あるいは製品の組立中などに他の部材がグランドピンの突出部に当接してその突出部が押圧される際、その他の部材が最終的にはコネクタフレームの外表面に当接して、それ以上前記突出部が押圧変形しないように規制されるから、グランドピンの突出部が過度に変形されることがない。」という明細書に記載の効果を奏するものである。
　したがって、本件発明２は、引用例１、２に記載された発明に基づいて当業者が容易に発明をすることができたものとは認められない。
　
〔４〕むすび
　以上のとおりであるから、特許異議申立ての理由及び証拠によっては、本件発明１、２に係る特許を取り消すことができない。
　また、他に本件発明１、２に係る特許を取り消すべき理由を発見しない。
　よって、結論のとおり決定する。
【異議決定日】
平成１３年１１月１９日（２００１．１１．１９）
【訂正の要旨】
　ア．訂正事項ａ
　特許請求の範囲の請求項２の記載について、「２枚の導電板とを備えた電子カードにおいて」及び「接触していることを特徴とする電子カード」を「２枚の導電板とを備えたＩＣチップ搭載カードにおいて」及び「接触していることを特徴とするＩＣチップ搭載カード」と訂正する。
　イ．訂正事項ｂ
　発明の名称に係る記載について、「コネクタならびにそれを用いた電子カード」を「コネクタならびにそれを用いたＩＣチップ搭載カード」と訂正する。
　ウ．訂正事項ｃ
　願書に添付された明細書（以下「特許明細書」という。）について段落【０００１】、【００１７】、【００２０】、【００２４】、【００３１】の「電子カード」を「ＩＣチップ搭載カード」と訂正する。
　エ．訂正事項ｄ
　特許明細書について段落【０００１】の「や通信カード」を削除する。
（５４）【発明の名称】
コネクタならびにそれを用いたＩＣチップ搭載カード
（５７）【特許請求の範囲】
　【請求項１】　コネクタフレームと、
　そのコネクタフレーム内に所定数配列されたコネクタピンとを備えたコネクタにおいて、
　前記コネクタピンのうちのグランドピンが複数設けられ、一方のグランドピンに上方向へ突出した突出片が、他方のグランドピンに下方向へ突出した突出片が形成され、
　それぞれのグランドピンと対応する前記コネクタフレームの部分に切欠部が形成され、
　それら切欠部を通して一方のグランドピンの突出片が前記コネクタフレームの上面より突出し、他方のグランドピンの突出片が前記コネクタフレームの下面より突出していることを特徴とするコネクタ。
　【請求項２】　電子部品を搭載したプリント基板と、
　コネクタフレーム内に所定数のコネクタピンを配列し、前記プリント基板に取り付けられ、前記コネクタピンのうちのグランドピンがプリント基板のグランドパターンに接続されたコネクタと、
　前記コネクタフレームの上下両面に当接配置された２枚の導電板とを備えたＩＣチップ搭載カードにおいて、
　前記コネクタピンのうちのグランドピンが複数設けられ、一方のグランドピンに上方向へ突出した突出片が、他方のグランドピンに下方向へ突出した突出片が形成され、
　それぞれのグランドピンと対応する前記コネクタフレームの部分に切欠部が形成され、
　前記２枚の導電板がコネクタフレームの上下両面に当接配置された状態で、前記切欠部を通して、一方のグランドピンの突出片が上側導電板と接触し、他方のグランドピンの突出片が下側導電板と接触していることを特徴とするＩＣチップ搭載カード。
【発明の詳細な説明】
　【０００１】
　【産業上の利用分野】
　本発明はメモリカードなどのＩＣチップ搭載カードならびにそれに用いるコネクタに係り、特にそれらの静電気対策の構造に関する。
　【０００２】
　【従来の技術】
　図３は、例えば特開昭６１−２５８７９８号公報や特開平４−１０２９５号公報などに記載されている従来例に係るメモリカードの分解斜視図である。このメモリカードはコネクタを使用した２ピース形式のものであり、１はプリント基板、２はプリント基板１に搭載されたＩＣチツプ、３は３６〜８０ピンを有するコネクタであり、プリント基板１の一端に装着されている。
　【０００３】
　４は樹脂製のフレーム５で周囲を縁取りされた金属製の上銘板、６は同じく金属製の下銘板であり、上銘板４と下銘板６とでプリント基板１を挟み込むようにしてメモリカードが構成される。なお、フレーム５はプリント基板１とコネクタ３とを支持する機能を有している。
　【０００４】
　ところでこのようなメモリカードにおいて、外部からの静電気によつて、プリント基板に搭載しているＩＣチツプ２を破壊してメモリ機能を喪失するおそれがあり、静電気対策が必要である。
　【０００５】
　従来この静電気対策のために、プリント基板１のグランド端子部に穴あるいは凹欠部を設け、その穴あるいは凹欠部に、コイルスプリング８をプリント基板１の上、下面からそれぞれ突出するようにして装着し、コイルスプリング８の上、下突出部分を上銘板４ならびに下銘板６と弾接する静電気逃がし機構を採用していた。
　【０００６】
　【発明が解決しようとする課題】
　しかし上記従来装置においては、
（１）コイルスプリングを設けなくてはならず部品点数が増え、組み立て作業が煩雑となる、
（２）組立工程中にコイルスプリングどうしが絡み合い、自動装填時の障害となる、
（３）コイルスプリングがプリント基板から外れ易い（特に凹欠部の場合）、
（４）コイルスプリングが潰れて（変形して）銘板との接触が不確実になり易い、
　等の欠点があつた。
　【０００７】
　このような欠点を解消するため、従来、例えば特開平５−２８２５０７号公報に記載されたようなＩＣカードが本発明より先に提案されている。図４ならびに図５はこのＩＣカードを説明するための図で、図４はそのＩＣカードの一部分解斜視図、図５はこのＩＣカードの断面図である。
　【０００８】
　このＩＣカードは図５に示すようにフレーム１００と、このフレーム１００を挟持する一対の金属製銘板１０１，１０２と、この銘板１０１，１０２間に離間して配設されてＩＣチップ１０３等を搭載したプリント基板１０４と、プリント基板１０４の前面側に配設された多数の接続端子１０５を備えたコネクタ１０６とから主に構成されている。
　【０００９】
　多数の接続端子１０５のうち両側に位置する４個の接続端子１０５は、プリント基板１０４の方向に延長した延長部１０５ａを形成し、この延長部１０５ａは互いに向き合う方向に湾曲されてプリント基板１０４の上、下両面に形成されているグランドパターン１０７（図４参照）を挟持し、このグランドパターン１０７と電気的に接続されている。
　【００１０】
　これら４個の接続端子１０５と対をなす別の接続端子１０８は、それぞれ上、下の銘板１０１，１０２の方向に延びてそれぞれ上、下方向に湾曲した延長部１０８ａを有し、ＩＣカードを組み立てたときに図５に示すように銘板１０１，１０２の内面に当接して、銘板１０１，１０２と電気的に接続される。
　【００１１】
　従ってこのＩＣカードをカードリーダライタに挿入すると、リーダライタ側のコネクタピンが上、下一対の接続端子１０５と接続端子１０８の間に挿入されて両方に接触する。そのため銘板１０１，１０２は接続端子１０８、コネクタピン、接続端子１０５を介してグランドパターン１０７と電気的に接続されて、静電気対策がなされる。
　【００１２】
　ところがこのＩＣカードは図４から明らかなように、接続端子１０８の延長部１０８ａは接続端子１０５より外側にあってコネクタ１０６の後端からフリーで不安定な状態で延びて、上、下方向に湾曲している。そのため、ＩＣカードの組み立て途中などに延長部１０８ａが他の部材と接触したり、あるいは延長部１０８ａどうしが絡まって、過度に内側に折れ曲がったり、あるいは斜め横方向に折れ曲がることがある。
　【００１３】
　延長部１０８ａが過度に内側に折れ曲がったままＩＣカードに組み込むと、銘板１０１，１０２との接触がなされなかったり、あるいは接触が不安定となり、静電気対策の信頼性が低下する。この接触不良は、延長部１０８ａが組み込み前に過度に折れ曲がっていなくても、延長部１０８ａが銘板１０１，１０２によって押圧変形されるとき、延長部１０８ａがフリーであってその押圧変形が何者にも規制されないから過度に折れ曲がり、その結果、接触不良を生じることもある。
　【００１４】
　また延長部１０８ａが斜め横方向に折れ曲がると、他の接続端子１０５と接触して各種トラブルを生じる。この接触事故は、コネクタ１０６内の接続端子１０５の数が増えて、接続端子１０５間のピッチが狭くなればより顕著に発生する。さらに延長部１０８ａが横方向に折れ曲がったものを使用すると、延長部１０８ａが銘板１０１，１０２によって押圧変形されるとき、その先端がプリント基板１０４上の導電パターンや電子部品と接触して各種トラブルを生じる。この接触事故は、特に製品（ＩＣカード）の薄型化が進み、プリント基板１０４と延長部１０８ａの間隔が狭小になれば特に発生し易くなる。このようなことから、コネクタ１０６の多ピン化ならびに薄型化に障害となる。
　【００１５】
　さらに各接続端子１０５の延長部１０５ａをプリント基板１０４に半田付けする際、その延長部１０５ａの近傍に延長部１０８ａがあるから、半田付けの際に延長部１０８ａが邪魔になり、作業能率の低下をきたす。これを解消するため延長部１０８ａをさらにプリント基板１０４の内側に延ばすと、プリント基板１０４上での他の電子部品や導電パターンなどの実装面積が少なくなるから好ましくないなどの欠点を有している。
　【００１６】
　これに関連する他の出願として例えば特開平４−１５３０９６号公報や特開平５−２２１１９１号公報などが挙げられるが、これらの提案に係るコネクタも前述と同様の欠点を有している。
　【００１７】
　この発明は、このような従来技術の欠点を解決し、グランドピンの突出部が過度に変形したり横方向に変形したりすることがなく、動作信頼性に優れたコネクタならびにそれを用いたＩＣチップ搭載カードを提供することを目的とする。
　【００１８】
　【課題を解決するための手段】
　上記目的を達成するため、第１の本発明は、コネクタフレームと、そのコネクタフレーム内に所定数配列されたコネクタピンとを備えたコネクタを対象とするものである。
　【００１９】
　そして前記コネクタピンのうちのグランドピンが複数設けられ、一方のグランドピンに上方向へ突出した突出片が、他方のグランドピンに下方向へ突出した突出片が形成され、それぞれのグランドピンと対応する前記コネクタフレームの部分に切欠部が形成され、それら切欠部を通して一方のグランドピンの突出片が前記コネクタフレームの上面より突出し、他方のグランドピンの突出片が前記コネクタフレームの下面より突出していることを特徴とするものである。
　【００２０】
　上記目的を達成するため、第２の本発明は、電子部品を搭載したプリント基板と、コネクタフレーム内に所定数のコネクタピンを配列し、前記プリント基板に取り付けられ、前記コネクタピンのうちのグランドピンがプリント基板のグランドパターンに接続されたコネクタと、前記コネクタフレームの上下両面に当接配置された２枚の導電板とを備えたＩＣチップ搭載カードを対象とするものである。
　【００２１】
　そして前記コネクタピンのうちのグランドピンが複数設けられ、一方のグランドピンに上方向へ突出した突出片が、他方のグランドピンに下方向へ突出した突出片が形成され、それぞれのグランドピンと対応する前記コネクタフレームの部分に切欠部が形成され、前記２枚の導電板がコネクタフレームの上下両面に当接配置された状態で、前記切欠部を通して、一方のグランドピンの突出片が上側導電板と接触し、他方のグランドピンの突出片が下側導電板と接触していることを特徴とするものである。
　【００２２】
　【発明の実施の形態】
　本発明は前述のように、コネクタフレームに切欠部を形成し、その切欠部を通してグランドピンの一部が突出している。そのため取扱中あるいは製品の組立中などに他の部材がグランドピンの突出部に当接してその突出部が押圧される際、その他の部材が最終的にはコネクタフレームの外表面に当接して、それ以上前記突出部が押圧変形しないように規制されるから、グランドピンの突出部が過度に変形されることがない。
　【００２３】
　このようにグランドピンの突出部が過度に変形することが阻止されるから、それらによる前述のような各種トラブルが解消される。
　【００２４】
　また、グランドピンが複数設けられ、一方のグランドピンの突出片が上側導電板と接触し、他方のグランドピンの突出片が下側導電板と接触しているから、上下導電板の静電気対策が確実にとられる。このようなことから、動作信頼性に優れたコネクタならびにＩＣチップ搭載カードを提供することができる。
　【００２５】
　以下、本発明の実施の形態を図面に基づいて説明する。図１は実施の形態に係るメモリカードの分解斜視図、図２はそのメモリカードの要部の拡大斜視図である。
　【００２６】
　コネクタ３には多数のコネクタピンが配列されており、そのコネクタピンのうちには複数のグランドピン１０が設けられ、一方のグランドピン１０に上方向へ突出した突出片１０ａが、他方のグランドピン１０に下方向へ突出した突出片１０ａがそれぞれ形成されている。
　【００２７】
　また、コネクタフレーム９には、各グランドピン１０と対応する個所の上、下に貫通穴９ａが形成され、グランドピン１０の上方向または下方向に向いた突出片１０ａがこの貫通穴９ａから一部突出している（図１では斜視図の関係から、上方向へ突出した突出片１０ａしか現れていない）。
　【００２８】
　図２に示すようにその突出片１０ａの両根元側端１０ｂ，１０ｂが前記貫通穴９ａの両側壁９ｂ，９ｂとそれぞれ近接対向している。また、１０ｃは突出片１０ａの先端部で、コネクタフレーム９のプリント基板１と接合される後端９ｃよりも突出しないように設計されている。
　【００２９】
　上銘板４と下銘板６とでプリント基板１（コネクタフレーム９）を挟み込んだ時、これら突出片１０ａが、上銘板４および下銘板６と接触するため、外界からの静電気は両銘板４，６からグランドピン１０に流れ、確実な静電気対策が講じられる。
　【００３０】
　【発明の効果】
　本発明は前述のように、コネクタフレームに切欠部を形成し、その切欠部を通してグランドピンの一部が突出している。そのため取扱中あるいは製品の組立中などに他の部材がグランドピンの突出部に当接してその突出部が押圧される際、その他の部材が最終的にはコネクタフレームの外表面に当接して、それ以上前記突出部が押圧変形しないように規制されるから、グランドピンの突出部が過度に変形されることがない。このようにグランドピンの突出部が過度に変形することが阻止されるから、それらによる前述のような各種トラブルが解消される。
　【００３１】
　また、グランドピンが複数設けられ、一方のグランドピンの突出片が上側導電板と接触し、他方のグランドピンの突出片が下側導電板と接触しているから、上下導電板の静電気対策が確実にとられる。このようなことから、動作信頼性に優れたコネクタならびにＩＣチップ搭載カードを提供することができる。
　【００３２】
　また図１に示す如くグランドピンの一部がコネクタフレームの外表面より突出しておれば、ジャンパー線による接続も容易かつ確実である。
　【００３３】
　またグランドピンの一部を上、下方向に突出している構成により（特に突出部が上、下対称位置に設けられておれば）、コネクタフレームの上、下の方向性がなく、製品への組み込みが容易となる。
　【００３４】
　前記実施の形態では、グランドピンの突出部の先端部がコネクタフレームのプリント基板と接合される後端より突出していない。このようにすれば、グランドピンの突出部が押圧変形してもプリント基板上のパターンや電子部品との接触が確実に防止できる。
【図面の簡単な説明】
　【図１】
　本発明の実施の形態に係るメモリカードの分解斜視図である。
　【図２】
　そのメモリカードの要部の拡大斜視図である。
　【図３】
　従来例に係るメモリカードの分解斜視図である。
　【図４】
　従来提案されたＩＣカードの一部分解斜視図である。
　【図５】
　このＩＣカードの断面図である。
　【符号の説明】
　１　プリント基板
　２　ＩＣチツプ
　３　コネクタ
　４　上銘板
　５　フレーム
　６　下銘板
　９　コネクタフレーム
　９ａ　貫通穴
　１０　グランドピン
　１０ａ　突出片